【事件の表示】
　特許第３１６８６６６号「画像読み取り装置」の請求項１、２に係る特許に対する特許異議の申立てについて、次のとおり決定する。
【結　論】
　訂正を認める。
　特許第３１６８６６６号の請求項に係る特許を取り消す。
【理　由】
１．手続の経緯
　特許第３１６８６６６号の請求項１及び２に係る発明は、平成４年１月２４日に特許出願され、平成１３年３月１６日に特許権の設定登録がなされたものであり、その後、特許異議申立人の小湊勇次及びミノルタ株式会社により、本件特許に対して特許異議の申立がなされ、当審により平成１４年１月２１日に取消理由が通知され、その期間内である平成１４年４月２日に訂正請求書が提出されたものである。
　
　
２．訂正の適否について
（１）訂正の内容
　特許権者が、訂正請求において求めている訂正の内容は、次のとおりである。
　
ａ．特許請求の範囲の請求項２に係る記載
「プラテンガラス上に原稿をセットし、該原稿を走査装置により走査した画像の光を、電気信号に変換して画像の読み取りを行うデジタル方式の画像読み取り装置において、
前記走査装置を所定のホームポジション位置から移動させて、原稿先端部のみに対してプリスキャンを行い、該原稿の幅を検知する検知手段と、
原稿の長さを検知するための１つまたは複数のフォトセンサを備えた検知手段と、を設け、
前記２種類の検知手段からの情報を用いて、原稿のサイズと、該原稿の方向とを判断するとともに、前記プリスキャンによる原稿幅検知の後に原稿画像読み取りのための走査を開始することを特徴とする画像読み取り装置。」を、
「プラテンガラス上に原稿をセットし、該原稿を走査装置により走査した画像の光を、電気信号に変換して画像の読み取りを行うデジタル方式の画像読み取り装置において、
前記走査装置を所定のホームポジション位置から移動させて、原稿先端部のみに対してプリスキャンを行い、該原稿の幅を検知する検知手段と、
原稿の長さを検知するための１つまたは複数のフォトセンサを備えた検知手段と、を設け、
前記２種類の検知手段からの情報を用いて、原稿のサイズと、該原稿の方向とを判断するとともに、前記プリスキャンによる原稿幅検知の後
、直ちに
　
ｂ．明細書の段落【０００３】の第８行の記載
「図６に示すように、」を、
「図４に示すように、」と訂正する。
　
ｃ．明細書の段落【０００９】の第８行の記載
「原稿幅検知の後に」を、
「原稿幅検知後、直ちに」と訂正する。
　
ｄ．明細書の段落【００１５】の第３行の記載
「全部センサ２０」を、
「前記センサ２０」と訂正する。
　
（２）訂正の適否
　訂正事項ａ〜ｄの訂正について、その訂正の適否を検討する。
　
訂正事項ａについて
　特許明細書の特許請求の範囲の【請求項２】に記載された構成の「前記プリスキャンによる原稿幅検知の後」の後に「、直ち」との限定を加えようとするものである。
　特許権者の説明によれば、この限定は、明細書の段落【００２０】及び段落【００２２】の記載に基づき、「プレスキャンの後、直後に読み取りを開始すること」を表している。
　そして、特に、明細書の段落【００２０】に「前述したようなプレスキャンを行う場合には、もちろん、その動作により読み取りの開始タイミングを若干遅れることになる」との記載があり、読み取りがプレスキャンの後、直後に開始されなければ、プレスキャンによる読み取り開始タイミングの遅れは生じ得ないことに鑑みると、当該限定は、明細書の記載の範囲内の事項である。
　したがって、この訂正は、特許請求の範囲の減縮を目的とした訂正に該当すると共に、特許請求の範囲を拡張又は変更するものではない。
　
訂正事項ｂ及びｄについて
　当該訂正の対象となった訂正前の記載は、明らかな誤記であることから、誤記の訂正を目的とした訂正に該当する。
　
訂正事項ｃについて
　訂正事項ａの訂正に基づき、請求項の記載の訂正事項と整合を図るものであるから、明瞭でない記載の釈明を目的とした訂正に該当する。
　
　しかも、上記訂正事項ａ〜ｄの訂正は、いずれも、実質的に特許請求の範囲を拡張又は変更するものではない。
　
（３）むすび
　以上のとおりであるから、上記訂正は、特許法第１２０条の４第２項および同条第３項によって準用する同第１２６条第２項および第３項の規定に適合するので、当該訂正を認める。
　
　
３．特許異議の申立について
（１）申立て理由の概要
　特許異議申立人小湊勇次は、第３１６８６６６号の請求項１及び２係る発明の特許に対して、証拠として、甲第１号証（特開平１−１３６４６０号公報）、甲第２号証（特開昭６１−２５６３４３号公報）、甲第３号証（特開昭６１−１５１５２３号公報）、甲第４号証（特開昭６２−６２４０号公報）、甲第５号証（特開平４−８６３号公報）、甲第６号証（特開昭６３−１２９７７０号公報）、及び、甲第７号証（特願平２−２８５９６４号（特開平４−１６１９４４号公報））を提出し、本件の請求項１に係る発明の特許は、甲第１号証および甲第２号証に記載された発明に基づいて、その発明の属する技術分野における通常の知識を有する者が容易に発明をすることができたものであるから、特許法第２９条第２項の規定により特許を受けることができないものであり、本件の請求項２に係る発明の特許は、甲第７号証に記載された発明と同一であるから、特許法第２９条の２項の規定により特許を受けることができないものであって、本件発明についての特許を取り消すべき旨主張している。
　また、特許異議申立人ミノルタ株式会社は、第３１６８６６６号の請求項２係る発明の特許に対して、証拠として、甲第７号証（特願平２−２８５９６４号（特開平４−１６１９４４号公報））を提出し、本件の請求項２に係る発明の特許は、甲第７号証に記載された発明と同一であるから、特許法第２９条の２項の規定により特許を受けることができないものであって、本件発明についての特許を取り消すべき旨主張している。
　
（２）本件発明
　上記平成１４年４月２日付け訂正請求書による訂正が認められるので、特許第３１６８６６６号の請求項１及び２に係る発明は、平成１４年４月２日付け訂正明細書の特許請求の範囲の請求項１及び２に記載された次のとおりのものと認められる。
　
「【請求項１】
　プラテンガラス上に原稿をセットし、該原稿を走査装置により走査した画像の光を、イメージセンサを用いて電気信号に変換して画像の読み取りを行うデジタル方式の画像読み取り装置において、
　前記走査装置のホームポジション位置を、原稿先端部から走査装置の移動方向に所定の間隔を介して設け、前記ホームポジションに位置する前記走査装置からの光を変換した電気信号によって原稿幅の検知を行う検知手段と、
　原稿の長さを検知するための１つまたは複数のフォトセンサを備えた検知手段と、を設け、
　前記２種類の検知手段からの情報を用いて、原稿のサイズと、該原稿の方向とを判断するとともに、前記ホームポジションにおける原稿幅検知の後に原稿先端に向けて前記走査装置を移動させて、原稿画像読み取りのための走査を開始することを特徴とする画像読み取り装置。
　
【請求項２】
　プラテンガラス上に原稿をセットし、該原稿を走査装置により走査した画像の光を、電気信号に変換して画像の読み取りを行うデジタル方式の画像読み取り装置において、
　前記走査装置を所定のホームポジション位置から移動させて、原稿先端部のみに対してプリスキャンを行い、該原稿の幅を検知する検知手段と、
　原稿の長さを検知するための１つまたは複数のフォトセンサを備えた検知手段と、を設け、
　前記２種類の検知手段からの情報を用いて、原稿のサイズと、該原稿の方向とを判断するとともに、前記プリスキャンによる原稿幅検知の後、直ちに原稿画像読み取りのための走査を開始することを特徴とする画像読み取り装置。」　
　
（３）刊行物に記載された発明
ア．甲第１号証（特開平１−１３６４６０号公報）
　甲第１号証には、
（ア）「本発明は上面にガラス板２よりなる原稿載置台１を備え、これの一端縁部に原稿押え３を開閉自在に設けてある。本実施例においては、原稿のサイズを細面の短辺側の幅によって検出するように構成してあり、原稿４の短辺側をガラス板２の右側縁部に沿わして設置し、この右側縁部の長さを原稿載置台１の原稿載置幅としてある。
　原稿押え３の前記ガラス板２の右側縁部と対向する位置には帯状の原稿区別用カラーマーク３１が形成してあり、該カラーマーク３１は原稿４を際立たせるために原稿地肌と異なる彩色を施してある。第２図において５は、原稿載置幅方向にその長手方向を一致させて設けられた長尺の原稿照明光源であり、該原稿照明光源５はガラス板２の右側縁部の下部をホーム位置として図中左方向に反射鏡６と共に原稿４の下方を移動する。原稿４に投光された反射光はレンズ７を介して原稿載置幅方向にその長手方向を一致させて設けられたラインイメージセンサ８に到達し、原稿情報が読み取られ、この読取り信号に基づいて複写機においては複写が、ファクシミリにおいては送信が行われる。
　さて、原稿４のサイズ検出は原稿照明光源５が移動する前、即ち原稿照明光源５がホーム位置にある場合に行われる。」（第２頁上右欄７行〜下左欄１０行）
なる記載がある。
　
　当該記載からみて、甲第１号証には、
「原稿４に投光された反射光はレンズ７を介して原稿載置幅方向にその長手方向を一致させて設けられたラインイメージセンサ８に到達し、原稿情報が読み取られ、この読取り信号に基づいて複写機においては複写が、ファクシミリにおいては送信が行われる読取り装置おいて、
　原稿押え３の前記ガラス板２の右側縁部と対向する位置には帯状の原稿区別用カラーマーク３１が形成し、該カラーマーク３１は原稿４を際立たせるために原稿地肌と異なる彩色を施し、
　原稿照明光源５はガラス板２の右側縁部の下部をホーム位置として図中左方向に反射鏡６と共に原稿４の下方を移動し、
　原稿４のサイズ検出は原稿照明光源５が移動する前、即ち原稿照明光源５がホーム位置にある場合に行われる」発明（以下、「甲第１号証記載の発明」という）が記載されている。
　
イ．甲第２号証（特開昭６１−２５６３４３号公報）
　甲第２号証には、
（イ）「原稿の走査方向に、原稿の長さを検出するための複数個の原稿サイズ検出センサをさらに配置した」（第１頁下左欄８行〜１０行）
（ウ）「上記した従来技術は、次のような問題点を有していた。（中略）原稿のセットされる向きにより、原稿幅が等しく又は略等しくなるので、これらのＡ４サイズおよびレターサイズの原稿が検出されないという問題があった。
　本発明は、前述の問題点を解決するためになされたものである。」（第２頁上右欄１５行〜下左欄７行）なる記載がある。
　
　上記（イ）及び（ウ）の記載からみて、甲第２号証には、
「原稿のセットされる向きにより、原稿幅が等しく又は略等しくなって原稿が検出されないという問題を解決するために、
　原稿の走査方向に、原稿の長さを検出するための複数個の原稿サイズ検出センサをさらに配置した」発明（以下、「甲第２号証記載の発明」という）が記載されている。
　
ウ．甲第７号証（特願平２−２８５９６４号（特開平４−１６１９４４号公報））
　甲第７号証には、
（エ）「原稿上から光学的にデータを読取る画像読取装置１０１」（公報第３頁右上欄７行〜８行）
（オ）「３は原稿台１を通して原稿を下方から照射する原稿照明ランプ、４、５および６はミラー、７は集光レンズ、８はＣＣＤ基板９上に配設されたＣＣＤラインセンサであり、ランプ３、ミラー４、５および６からなる光学系走査ユニットが不図示の駆動モータにより駆動されてＹ方向に移動し、原稿上の画像情報をＣＣＤラインセンサ８に送給する。」（第３頁下左欄１行〜７行）
（カ）「また、１１は仕切部材１０３上の所定の位置（後述）に配設された光学センサであり、第２図および第３図に示すように配置された発光素子１１Ｓと受光素子１１Ｒとで構成される。」（第３頁下左欄１２行〜１５行）
（キ）「本実施例では先に述べた光学センサ１１（第４図参照）の相対位置を丁度サイズＢ５Ｒの領域線とサイズＡ４Ｒの領域線との間に設定している。」（第４頁上左欄２行〜４行）
（ク）「ｙは光学系走査ユニットによりプリスキャンが行われる領域を示しており、ミラー４を含む光学系走査ユニットのこの領域ｙの走査により、戴置台１のＸで示す主走査方向全幅にわたって配置されたＣＣＤラインサンサ８（ここでは不図示）により原稿の主走査方向の幅を識別させることができる。」（第４頁上左欄５行〜１１行）
（ケ）「そこで、以上のような構成により、原稿を戴置台１に戴置し、原稿圧板２で閉蓋すると、光学センサ１１によってＹ方向における原稿のこの位置における有無が検知される共に、光学系走査ユニットのプリスキャンによってＣＣＤラインセンサ８により原稿のＹ方向の寸法にかかわる情報が得られるので、これらを信号として第３図に示すように制御部２０に送給されることにより、制御部２０で原稿サイズを識別することができる。」（第４頁上左欄１６行〜上右欄４行）
（コ）「光学走査手段による僅かな副走査を行うだけであとは限定して配置された原稿検知手段からの情報とＣＣＤラインセンサからの主走査方向の寸法情報とによって原稿サイズの識別が可能となり、原稿検知センサの数も少なくてすみ、また、戴置台の全域を原稿サイズ検知のために副走査する必要がないので読取りのために費やされる時間の短縮を図ることができる。」（第５頁上左欄１８行〜上上欄７行）
　
　上記（ケ）の「光学系走査ユニットのプリスキャンによってＣＣＤラインセンサ８により原稿のＹ方向の寸法にかかわる情報が得られる」なる記載は、前後の文脈から、「光学系走査ユニットのプリスキャンによってＣＣＤラインセンサ８により原稿のＸ方向の寸法にかかわる情報が得られる」なる記載の誤りであると認められる。
　
　よって、上記（エ）〜（コ）の記載からみて、甲第７号証には、
「原稿上から光学的にデータを読取る画像読取装置であって、
　原稿台１を通して原稿を下方から照射する原稿照明ランプ３、ミラー４、５および６、集光レンズ７、ＣＣＤ基板９上に配設されたＣＣＤラインセンサ８を有し、ランプ３、ミラー４、５および６からなる光学系走査ユニットが駆動モータにより駆動されてＹ方向に移動し、原稿上の画像情報をＣＣＤラインセンサ８に送給し、
　仕切部材１０３上の所定の位置（後述）に配設された光学センサ１１は、配置された発光素子１１Ｓと受光素子１１Ｒとで構成され、
　光学センサ１１の相対位置を丁度サイズＢ５Ｒの領域線とサイズＡ４Ｒの領域線との間に設定し、
　ミラー４を含む光学系走査ユニットの光学系走査ユニットによりプリスキャンが行われる領域ｙの走査により、戴置台１のＸで示す主走査方向全幅にわたって配置されたＣＣＤラインサンサ８により原稿の主走査方向の幅を識別させることができ、
　原稿を戴置台１に戴置し、原稿圧板２で閉蓋すると、光学センサ１１によってＹ方向における原稿のこの位置における有無が検知される共に、光学系走査ユニットのプリスキャンによってＣＣＤラインセンサ８により原稿のＸ方向の寸法にかかわる情報が得られるので、これらを信号として第３図に示すように制御部２０に送給されることにより、制御部２０で原稿サイズを識別することができ、
　光学走査手段による僅かな副走査を行うだけであとは限定して配置された原稿検知手段からの情報とＣＣＤラインセンサからの主走査方向の寸法情報とによって原稿サイズの識別が可能となり、原稿検知センサの数も少なくてすみ、また、戴置台の全域を原稿サイズ検知のために副走査する必要がないので読取りのために費やされる時間の短縮を図ることができる」発明（以下、「甲第７号証記載の発明」という）が記載されている。
　
（４）対比・判断
（請求項１に係る発明）
　本件の請求項１に係る発明と特許異議申立人小湊勇次が提示した甲第１号証記載の発明とを対比すると、
　
あ．甲第１号証記載の発明は、原稿４に投光された反射光はレンズ７を介して原稿載置幅方向にその長手方向を一致させて設けられたラインイメージセンサ８に到達し、原稿情報が読み取られ、この読取り信号に基づいて複写機においては複写が、ファクシミリにおいては送信が行われる読取り装置である。
　そして、甲第１号証記載の発明のごとき読取り装置において、ラインイメージセンサで読み取られた信号をＡ／Ｄ変換し、デジタル信号で複写動作又は送信動作が行われるように構成することは一般的に行われていることであるから、当業者であれば、甲第１号証記載の発明がデジタル方式の読取り装置であると解することは明らかである。
　このため、甲第１号証記載の発明は、「プラテンガラス上に原稿をセットし、該原稿を走査装置により走査した画像の光を、イメージセンサを用いて電気信号に変換して画像の読み取りを行うデジタル方式の画像読み取り装置」である点で一致する。
　
い．甲第１号証記載の発明は、原稿押え３の前記ガラス板２の右側縁部と対向する位置には帯状の原稿区別用カラーマーク３１を形成し、該カラーマーク３１は原稿４を際立たせるために原稿地肌と異なる彩色を施し、原稿照明光源５はガラス板２の右側縁部の下部をホーム位置として図中左方向に反射鏡６と共に原稿４の下方を移動し、原稿４のサイズ検出は原稿照明光源５が移動する前、即ち原稿照明光源５がホーム位置にある場合に行われるものであるから、「前記走査装置のホームポジション位置を、原稿先端部から走査装置の移動方向に所定の間隔を介して設け」の点を除き、「前記ホームポジションに位置する前記走査装置からの光を変換した電気信号によって原稿幅の検知を行う検知手段」を設けた点で相違しない。
　
う．甲第１号証記載の発明は、原稿照明光源５はガラス板２の右側縁部の下部をホーム位置として図中左方向に反射鏡６と共に原稿４の下方を移動し、原稿４のサイズ検出は原稿照明光源５が移動する前、即ち原稿照明光源５がホーム位置にある場合に行われるものであるから、「前記２種類の検知手段からの情報を用いて」の点、「該原稿の方向」の点、及び、「前記ホームポジションにおける原稿幅検知の後に原稿先端に向けて前記走査装置を移動させて」の点を除き、「検知手段からの情報を用いて、原稿のサイズを判断するとともに、原稿画像読み取りのための走査を開始する」点で相違しない。
　
　したがって、本件の請求項１に係る発明と甲第１号証記載の発明とは、
「プラテンガラス上に原稿をセットし、該原稿を走査装置により走査した画像の光を、イメージセンサを用いて電気信号に変換して画像の読み取りを行うデジタル方式の画像読み取り装置において、
　前記ホームポジションに位置する前記走査装置からの光を変換した電気信号によって原稿幅の検知を行う検知手段を設け、
　検知手段からの情報を用いて、原稿のサイズを判断するとともに、原稿画像読み取りのための走査を開始することを特徴とする画像読み取り装置。」である点で一致し、次の点で相違する。
　
（あ）本件の請求項１に係る発明は、走査装置のホームポジション位置を、原稿先端部から走査装置の移動方向に所定の間隔を介して設け、ホームポジションにおける原稿幅検知の後に原稿先端に向けて走査装置を移動させているのに対して、走査装置のホームポジション位置が明確でないとともに、ホームポジションにおける原稿幅検知の後に原稿先端に向けて走査装置を移動させる動作が特定されていない点。
　
（い）本件の請求項１に係る発明は、原稿の長さを検知するための１つまたは複数のフォトセンサを備えた検知手段を設け、２種類の検知手段からの情報を用いて、原稿のサイズと、該原稿の方向とを判断しているのに対して、甲第１号証記載の発明は、検知手段を１つのみ設け、１種類の検知手段からの情報を用いて、原稿のサイズを判断している点。
　
　以下において、上記した（あ）及び（い）の相違点について検討する。
　
相違点（あ）について
　甲第１号証の第２図は、要部構造が模式的に示されたものあるから、該図のみでは、甲第１号証記載の発明のホームポジション位置を認定することができないとともに、甲第１号証の明細書中に、該図に示された原稿照明光源５及び反射鏡６の位置について言及されていない。
　しかしながら、甲第１号証には、原稿押え３の前記ガラス板２の右側縁部と対向する位置には帯状の原稿区別用カラーマーク３１が形成されるとともに、原稿照明光源５はガラス板２の右側縁部の下部をホーム位置として、原稿４のサイズ検出は原稿照明光源５が移動する前、即ち原稿照明光源５がホーム位置にある場合に行われていることが記載されている。
　通常、「右側縁部」なる表現は、右側縁の一点を表すものではなく、右側縁を含む所定幅を表すものであるとともに、ホーム位置をガラス板２の右側縁部の最右端の位置とした場合には、帯状の原稿区分用カラーマーク３１及び原稿４の右側縁部の最右端の位置となって、正しい検出が行い難いことは当業者であれば明らかである。
　そして、甲第１号証の第２図に示されたごとく、右側縁部の最右端から原稿４の内側に入った位置、つまり、走査装置の移動方向に所定の間隔を介した位置をホーム位置とし、この位置で原稿検出を行えば、端の影響が減って正しく検出を行うことができることは、当業者であれば明らかな事項である。
　このため、正しく原稿サイズ検出を行うために、甲第１号証記載の発明の走査装置のホームポジション位置を、原稿先端部から走査装置の移動方向に所定の間隔を介して設けることは、当業者であれば格別の創意を有することなくなし得る事項である。
　
　また、原稿の先端部であっても、この部分に画像が形成されている可能性は排除し得ないため、原稿の画像を読み取ろうとするときに、原稿の画像を読み取るという本来の目的からすれば、この部分に対する読み取り動作を省略し得ることにならないことは明らかであるとともに、先端部から画像の読み取りを行うことは常套手段である。
　そして、上記のごとく、走査装置のホームポジション位置を、原稿先端部から走査装置の移動方向に所定の間隔を介して設けた場合、原稿の先端から読み取り動作を行うためには、原稿の画像読み取りに際して、ホームポジション位置から原稿先端に向けて走査装置を移動させ、この後に、原稿の画像読み取りのための走査を開始することが必要であることは、当業者であれば明らかである。
　このため、甲第１号証記載の発明において、ホームポジションにおける原稿幅検知の後に原稿先端に向けて走査装置を移動させて、原稿画像読み取りのための走査を開始することは、当業者であれば格別の創意を有することなくなし得る事項である。
　
　よって、甲第１号証記載の発明において、走査装置のホーム位置を原稿先端部から走査装置の移動方向に所定の間隔を介して設けるとともに、ホームポジションにおける原稿幅検知の後に原稿先端に向けて走査装置を移動させて、原稿画像読み取りのための走査を開始することは、当業者が容易になし得る事項である。
　
相違点（い）について
　甲第１号証に記載の発明は、原稿の幅のみで原稿のサイズを判断するものであるが、甲第２号証には、原稿の幅のみで原稿のサイズを判断する構成では、原稿のセットされる向きにより、原稿幅が等しくなって原稿が検出されないという問題があり、この問題を解決するために、原稿の長さを検出するための複数個の原稿サイズ検出センサをさらに配置することが記載されている。
　そして、甲第２号証に記載のものは、原稿トレイ上のものを検知しているものの、原稿のサイズを検知するという同じ技術分野に属し、プラテンガラス上での原稿サイズの検知及び原稿トレイ上での原稿サイズの検知は、いずれも周知なものである。
　このため、甲第１号証に記載の発明において、原稿の長さを検知するための１つまたは複数のフォトセンサを備えた検知手段を設け、長さ方向を検出する検知手段と幅方向を検出する検知手段の２種類の情報を用いて原稿サイズの判断を行う構成とすることは、当業者であれば容易になし得る事項である。
　
　また、甲第１号証記載の発明において、上記のごとく、長さ方向を検出する検知手段と幅方向を検出する検知手段とを用いて原稿サイズを判断する場合に、原稿サイズと共に原稿の載置方向の判断が行われることは明らかである。
　
　このため、甲第１号証記載の発明において、原稿の長さを検知するための１つまたは複数のフォトセンサを備えた検知手段を設け、２種類の検知手段からの情報を用いて、原稿のサイズと、該原稿の方向とを判断する構成とすることは、当業者であれば容易になし得る事項である。
　
　したがって、本件の請求項１に係る発明は、甲第１号証および甲第２号証から容易になし得る発明である。
　
（請求項２に係る発明）
　本件の請求項２に係る発明と特許異議申立人小湊勇次及びミノルタ株式会社が提示した甲第７号証記載の発明とを対比すると、
　
え．甲第７号証記載の発明は、原稿上から光学的にデータを読取る画像読取装置であって、原稿台１を通して原稿を下方から照射する原稿照明ランプ３、ミラー４、５および６、集光レンズ７、ＣＣＤ基板９上に配設されたＣＣＤラインセンサ８を有し、ランプ３、ミラー４、５および６からなる光学系走査ユニットが駆動モータにより駆動されてＹ方向に移動し、原稿上の画像情報をＣＣＤラインセンサ８に送給するものである。
　そして、甲第７号証記載の発明のごとき読取り装置において、ＣＣＤラインセンサで読み取られた信号をＡ／Ｄ変換し、デジタル信号で複写動作又は送信動作が行われるように構成することは一般的に行われていることであるから、当業者であれば、甲第７号証記載の発明がデジタル方式の読取り装置であると解することは明らかである。
　このため、甲第７号証記載の発明は、「プラテンガラス上に原稿をセットし、該原稿を走査装置により走査した画像の光を、イメージセンサを用いて電気信号に変換して画像の読み取りを行うデジタル方式の画像読み取り装置」である点で一致する。
　
お．甲第７号証記載の発明は、ミラー４を含む光学系走査ユニットの光学系走査ユニットによりプリスキャンが行われる領域ｙの走査により、戴置台１のＸで示す主走査方向全幅にわたって配置されたＣＣＤラインサンサ８により原稿の主走査方向の幅を識別している。
　そして、甲第７号証の第１図からみて、プリスキャンが行われる領域ｙは原稿の先端部に設けられることも明らかである。
　このため、甲第７号証記載の発明は、「前記走査装置を所定のホームポジション位置から移動させて、原稿先端部のみに対してプリスキャンを行い、該原稿の幅を検知する検知手段」を設けている点で一致する。
　
か．甲第７号証記載の発明は、仕切部材１０３上の所定の位置（後述）に配設された光学センサ１１は、配置された発光素子１１Ｓと受光素子１１Ｒとで構成され、光学センサ１１の相対位置を丁度サイズＢ５Ｒの領域線とサイズＡ４Ｒの領域線との間に設定することにより、原稿を戴置台１に戴置し、原稿圧板２で閉蓋すると、光学センサ１１によってＹ方向における原稿のこの位置における有無が検知される共に、光学系走査ユニットのプリスキャンによってＣＣＤラインセンサ８により原稿のＸ方向の寸法にかかわる情報が得られるものである。
　このため、甲第７号証記載の発明は、「原稿の長さを検知するための１つまたは複数のフォトセンサを備えた検知手段」を設けている点で一致する。
　
き．甲第７号証記載の発明は、原稿を戴置台１に戴置し、原稿圧板２で閉蓋すると、光学センサ１１によってＹ方向における原稿のこの位置における有無が検知される共に、光学系走査ユニットのプリスキャンによってＣＣＤラインセンサ８により原稿のＸ方向の寸法にかかわる情報が得られるので、これらを信号として第３図に示すように制御部２０に送給されることにより、制御部２０で原稿サイズを識別することができ、光学走査手段による僅かな副走査を行うだけであとは限定して配置された原稿検知手段からの情報とＣＣＤラインセンサからの主走査方向の寸法情報とによって原稿サイズの識別が可能となるものである。
　そして、第１表の原稿として、Ｂ５Ｒ、Ｂ５、Ａ４Ｒ、Ａ４が記載されているごとく、甲第７号証記載の発明における原稿サイズの識別は、原稿のサイズをとともに、原稿の方向を識別するものである。
　このため、「直ちに」を除き、「前記２種類の検知手段からの情報を用いて、原稿のサイズと、該原稿の方向とを判断するとともに、前記プリスキャンによる原稿幅検知の後に原稿画像読み取りのための走査を開始する」点で相違しない。
　
　したがって、本件の請求項２に係る発明と甲第２号証記載の発明とは、
「プラテンガラス上に原稿をセットし、該原稿を走査装置により走査した画像の光を、電気信号に変換して画像の読み取りを行うデジタル方式の画像読み取り装置において、
　前記走査装置を所定のホームポジション位置から移動させて、原稿先端部のみに対してプリスキャンを行い、該原稿の幅を検知する検知手段と、
　原稿の長さを検知するための１つまたは複数のフォトセンサを備えた検知手段と、を設け、
　前記２種類の検知手段からの情報を用いて、原稿のサイズと、該原稿の方向とを判断するとともに、前記プリスキャンによる原稿幅検知の後に原稿画像読み取りのための走査を開始することを特徴とする画像読み取り装置。」である点で一致し、次の点で相違する。
　
（う）本件の請求項２に係る発明は、プリスキャンによる原稿幅検知の後、直ちに原稿画像読み取りのための走査を開始するのに対して、甲第７号証記載の発明では、プリスキャンによる原稿幅検知の後、直ちに原稿画像読み取りのための走査を開始しているか否か特定されていない点。
　
　以下で、上記（う）の相違点を検討する。
　
　甲第７号証記載の発明は、原稿を戴置台１に戴置し、原稿圧板２で閉蓋すると、光学センサ１１によってＹ方向における原稿のこの位置における有無が検知されるから、使用者による画像読み取りの開始を指示する操作とは関係なく、使用者が原稿圧版２を閉蓋することによってプリスキャンが開始されており、原稿の読み取りの開始を指示する操作は別途行う必要があるものである。
　しかしながら、原稿をプラテンガラス上にセットしたにもかかわらず、原稿の読み取りの開始などの何らかの指示を示す操作を行うことなく、その状態が放置されることは考えられず、通常の原稿の画像読み取り操作は、原稿をプラテンガラス上にセットしたら、遅滞なく原稿の読み取りの開始などを指示するものであって、このような操作を、甲第７号証記載の発明で行った場合には、原稿圧板２の閉蓋によってプリスキャンによる原稿幅検知が行われるとともに、原稿圧板２の閉蓋した後に、遅滞なく原稿の読み取りの開始などが指示されて、原稿画像読み取りのための走査を開始されることになり、本件の請求項２に係る発明でいうところの「プリスキャンによる原稿幅検知の後、直ちに原稿画像読み取りのための走査を開始する」に該当することは明らかである。
　そして、甲第７号証記載の発明で、上記通常の原稿の画像読み取り操作を行った場合であっても、プリスキャンの動作と原稿の読み取りの開始などを指示する操作とが並行して行われ、単位時間あたりの読み取り枚数等に与える影響を非常に少なくすることができ、読み取りの能率を向上させる効果を奏することから、効果においても実質的な相違するものではない。
　
　してみると、上記相違点は実質的なものということができない。
　
　したがって、本件の請求項２に係る発明は、甲第７号証記載の発明と実質的に同一の発明である。
　
　よって、本件の請求項１に係る発明は、上記甲第１及び２号証記載の発明及び周知な事項に基づいて当業者が容易に発明をすることができたものであるから、特許法第２９条第２項の規定により特許を受けることができないものであり、本件の請求項２に係る発明は、上記甲第７号証記載の発明と実質的に同一であり、特許法第２９条の２項の規定により特許を受けることができないものである。
　
（５）むすび
　以上から明らかなように、本件の請求項１及び２に係る発明についての特許は、拒絶の査定をしなければならない特許出願に対してされたものと認める。
　よって、特許等の一部を改正する法律（平成６年法律第１１６号）附則第１４条の規定に基づく、特許法等の一部を改正する法律の施行に伴う経過処置を定める政令（平成７年政令第２０５号）第４条第２項の規定により、結論のとおり決定する。
【異議決定日】
平成１４年４月２３日（２００２．４．２３）
【訂正の要旨】
訂正の要旨
１．特許請求の範囲の減縮を目的として、
設定登録時の特許請求の範囲の請求項２に係る記載
「プラテンガラス上に原稿をセットし、該原稿を走査装置により走査した画像の光を、電気信号に変換して画像の読み取りを行うデジタル方式の画像読み取り装置において、
前記走査装置を所定のホームポジション位置から移動させて、原稿先端部のみに対してプリスキャンを行い、該原稿の幅を検知する検知手段と、
原稿の長さを検知するための１つまたは複数のフォトセンサを備えた検知手段と、を設け、前記２種類の検知手段からの情報を用いて、原稿のサイズと、該原稿の方向とを判断するとともに、前記プリスキャンによる原稿幅検知の後に原稿画像読み取りのための走査を開始することを特徴とする画像読み取り装置。」を、
「プラテンガラス上に原稿をセットし、該原稿を走査装置により走査した画像の光を、電気信号に変換して画像の読み取りを行うデジタル方式の画像読み取り装置において、
前記走査装置を所定のホームポジション位置から移動させて、原稿先端部のみに対してプリスキャンを行い、該原稿の幅を検知する検知手段と、
原稿の長さを検知するための１つまたは複数のフォトセンサを備えた検知手段と、を設け、前記２種類の検知手段からの情報を用いて、原稿のサイズと、該原稿の方向とを判断するとともに、前記プリスキャンによる原稿幅検知の後
、直ちに
２．特許請求の範囲の減縮に伴う明りょうでない記載の釈明を目的として、
明細書の段落【０００３】の第８行の記載
「図６に示すように、」を、
「図４に示すように、」と訂正する。
３．特許請求の範囲の請求項の記載の訂正事項と整合を図ることを目的として、
明細書の段落【０００９】の第８行の記載
「原稿幅検知の後に」を、
「原稿幅検知後、直ちに」と訂正する。
４．特許請求の範囲の減縮に伴う明りょうでない記載の釈明を目的として、
明細書の段落【００１５】の第３行の記載
「全部センサ２０」を、
「前記センサ２０」と訂正する。
（５４）【発明の名称】
画像読み取り装置
（５７）【特許請求の範囲】
　【請求項１】　プラテンガラス上に原稿をセットし、該原稿を走査装置により走査した画像の光を、イメージセンサを用いて電気信号に変換して画像の読み取りを行うデジタル方式の画像読み取り装置において、前記走査装置のホームポジション位置を、原稿先端部から走査装置の移動方向に所定の間隔を介して設け、前記ホームポジションに位置する前記走査装置からの光を変換した電気信号によって原稿幅の検知を行う検知手段と、原稿の長さを検知するための１つまたは複数のフォトセンサを備えた検知手段と、を設け、前記２種類の検知手段からの情報を用いて、原稿のサイズと、該原稿の方向とを判断するとともに、前記ホームポジションにおける原稿幅検知の後に原稿先端に向けて前記走査装置を移動させて、原稿画像読み取りのための走査を開始することを特徴とする画像読み取り装置。
　【請求項２】　プラテンガラス上に原稿をセットし、該原稿を走査装置により走査した画像の光を、電気信号に変換して画像の読み取りを行うデジタル方式の画像読み取り装置において、前記走査装置を所定のホームポジション位置から移動させて、原稿先端部のみに対してプリスキャンを行い、該原稿の幅を検知する検知手段と、原稿の長さを検知するための１つまたは複数のフォトセンサを備えた検知手段と、を設け、前記２種類の検知手段からの情報を用いて、原稿のサイズと、該原稿の方向とを判断するとともに、前記プリスキャンによる原稿幅検知の後
、直ちに
【発明の詳細な説明】
　【０００１】
　【産業上の利用分野】本発明は、電子複写機やプリンタ等の画像形成装置に設けられる画像読取り装置において、原稿サイズを検知するための装置に関し、特に、プラテンにセットされた原稿のサイズを、イメージセンサと、長手方向検知センサとを用いて検知できるようにする画像読み取り装置に関する。
　【０００２】
　【従来の技術】電子複写機等の画像形成装置においては、プラテンに原稿を載置し、その原稿を光学装置により走査して、その画像の走査光をミラーやレンズ等を介して画像担持体に照射して、画像の書き込みを行う手段を用いている。前記電子複写機等の画像読取り装置においては、原稿を走査した光を、直接画像担持体に伝達する方式の他に、原稿の走査光をＣＣＤイメージセンサ等を用いてデジタル信号として出力させる手段を用いる場合もある。前記デジタル信号を用いる画像形成装置としては、一般のレーザプリンターや、コンピュータに接続する画像読取り装置等にも適用されているもので、原稿を走査した情報を直接コピーとして出力する場合のほかに、原稿の情報を記憶させる手段としても用いられる。
　【０００３】前述したように、デジタル方式の画像読取り装置を用いる場合でも、電子複写機等では、原稿サイズを正確に検知して、その原稿サイズに応じて用紙を選択することが必要である。そこで、原稿のサイズと、選択された縮拡率等の情報に応じて、適当するサイズの用紙を選択するために、例えば、特開昭６１−２０９３６号公報等に示されるような原稿サイズ検知手段が用いられている。前記従来例においては、
図４に示すように、
　【０００４】前記従来例では、原稿の先端部が、プラテン２に設定する先端レジ線Ｙに位置決めされた原稿に対して、プラテンの幅方向に複数のセンサを配置しており、走査装置の移動方向に対して、２つのセンサＥ、Ｆを所定の間隔を介して配置している。そして、それ等のセンサからの検知情報を制御装置に入力し、原稿サイズを検知させるようにしている。したがって、前記従来例では、プラテンの中央部に原稿の位置決めを行うようなセンターレジ方式の装置で、原稿の幅と、長さとの情報を得て、原稿サイズの検知を容易に行うことができる。
　【０００５】
　【発明が解決しようとする課題】しかしながら、前記従来例に示されるように、プラテンに対応させて多数のセンサを配置することは、原稿サイズ検知機構が複雑になることと、それ等のセンサからの信号の授受に要する回路や、制御装置の機構が複雑になるという問題がある。そして、装置の製造コストが高くなることに加えて、メンテナンスにも多くの問題があり、原稿をプラテンにセットする位置が若干でも狂うと、誤検知の信号が出力されるという問題がある。そこで、走査装置に対して複数のセンサを配置しておき、原稿の走査の前にプリスキャンの動作を行って、原稿サイズの検知を行うことも行われている。しかし、プリスキャンの方式を用いる場合には、プラテンに原稿をセットした後で、直ちに画像の読み取りの動作を行うことができないために、単位時間当たりの複写の枚数が少なくなるという問題がある。
　【０００６】前述したような問題を解決する手段として、デジタル方式の画像読取り装置では、原稿の走査の前に、走査装置を移動させて原稿のサイズの読み取りの動作を行い、原稿サイズを正確に検知できるようにする手段が用いられることがある。しかし、ＣＣＤイメージセンサを用いる場合でも、走査装置を用いてプリスキャンの動作を行う必要があり、単位時間当たりの複写の枚数が制限されるという問題は残っている。
　【０００７】
　【発明の目的】本発明は、前述したような従来の画像読取り装置において、原稿サイズの検知手段が持っている課題を解消するもので、原稿サイズの検知機構を簡素化できるとともに、単位時間当たりの読み取りの枚数に影響を与えずに、正確な原稿サイズの情報を得ることができるような装置を提供することを目的としている。
　【０００８】本発明は、プラテンガラス上に原稿をセットし、該原稿を走査装置により走査した画像の光を、イメージセンサを用いて電気信号に変換して画像の読み取りを行うデジタル方式の画像読み取り装置に関する。本発明の請求項１の発明は、前記走査装置のホームポジション位置を、原稿先端部から走査装置の移動方向に所定の間隔を介して設け、前記ホームポジションに位置する前記走査装置からの光を変換した電気信号によって原稿幅の検知を行う検知手段と、原稿の長さを検知するための１つまたは複数のフォトセンサを備えた検知手段と、を設け、前記２種類の検知手段からの情報を用いて、原稿のサイズと、該原稿の方向とを判断するとともに、前記ホームポジションにおける原稿幅検知の後に原稿先端に向けて前記走査装置を移動させて、原稿画像読み取りのための走査を開始することを特徴とする。そして、前述したように構成したことにより、原稿サイズの検知機構の構成を簡素化できるとともに、原稿サイズの情報を正確に出力することができる。そして、原稿に対して走査装置によるプリスキャンの動作を行う必要がなくなり、原稿の幅の検知情報を容易に得ることができる。
　【０００９】請求項２の発明は、走査装置を所定のホームポジション位置から移動させて、原稿先端部のみに対してプリスキャンを行い、該原稿の幅を検知する検知手段と、原稿の長さを検知するための１つまたは複数のフォトセンサを備えた検知手段と、を設け、前記２種類の検知手段からの情報を用いて、原稿のサイズと、該原稿の方向とを判断するとともに、前記プリスキャンによる原稿幅検知の後
、直ちに
　【００１０】
　【００１１】
　【実施例】図示される例にしたがって、本発明の原稿サイズ検知装置を説明する。図１に示される本発明の実施例は、電子複写機等の画像形成装置１における走査装置と、原稿サイズ検知機構の構成を示しているもので、原稿２１を走査する手段は、従来の一般の電子複写機等の画像読取り装置の場合と同様に構成される。つまり、原稿２１は、プラテンガラス２にセットされて、その上のプラテンカバー５により押圧される状態で支持される。前記プラテンカバー５にはプラテンクッション６が設けられており、原稿が薄い本等の場合にも、その原稿の画像面をプラテンガラス２に対して均一に押圧できるようにされる。また、前記プラテンガラス２に対して、原稿の移走査方向の先端部には、先端レジガイド３を設けており、原稿の先端部を先端レジガイド３に押圧した状態で、原稿に対する原稿サイズの検知と走査とを行い得るようにしている。
　【００１２】前記プラテンガラス２の下面には、走査装置１０が配置されており、該走査装置１０は、一般の電子複写機における走査系と同様に、プラテンの下面に沿って往復移動するキャリッジ部材（図示を省略）により構成される。前記走査装置１０においては、プラテン２に載置された原稿２１に対して、その全体を走査するランプ１１と、第１ミラー１２を配置し、該ミラー１２により反射される光を、ＣＣＤイメージセンサ１６に伝達するために第２ミラー１３と第３ミラー１４とを配置し、該２つのミラー１３、１４は、ランプの移動速度に対して、半分の速度で同期駆動されるようになっている。そして、前記複数のミラー１２〜１４により反射された画像の走査光は、レンズ１５により結像されてＣＣＤイメージセンサ１６に入射され、該ＣＣＤイメージセンサ１６により電気信号として変換され、コンピュータ等の記憶装置、または、レーザプリンターや電子複写機における書き込み装置に向けて出力される。
　【００１３】前述したように構成される本発明の画像読取り装置１において、プラテンに載置された原稿２１のサイズを検知するために、長手方向検知センサ２０を設けており、該センサ２０はカバー部材１７に対して取り付けている。前記カバー部材１７に設けるセンサ２０は、図２に示されるように、プラテンにセット可能な原稿の横送りの最大サイズの後端部検知位置に対して、少しだけ後部に外れた位置に配置している。そして、前記プラテンガラス２に対して、原稿２１の先端部を先端レジ線Ｙに、原稿の側部を側部レジ線Ｘに位置させる状態で、それぞれ位置決めを行ってセットし、原稿サイズの検知と画像の走査とに対応させるようにする。
　【００１４】例えば、図示される例では、プラテンのサイズがＡ３縦送りに対応して形成されているとすると、Ａ４サイズの原稿Ｐｄの横送りの場合に、原稿の後端部から外れた位置に、前記センサ２０を配置する。また、前記原稿の幅の検知を正確に行い得るようにするために、プラテンカバー５のクッション６の押圧面を、着色シート７により構成し、白色の原稿の幅の判別の動作を正確に行い得るようにすることができ、該着色シート７としては、原稿の白色のものとの区切りを行うために、任意の色のものを用いることができる。
　【００１５】したがって、前記センサ２０によって、Ａ５サイズの縦送りの場合の他は、それよりも大サイズの原稿の縦送りのものは、
前記センサ２０
　【００１６】前述したような機構を設けた本発明の原稿サイズ検知手段では、走査装置におけるホームポジションの位置を、原稿の先端部から数ｍｍないし十数ｍｍの範囲に設定しておく。そして、画像読取り装置のスタートボタンを押すと、直ちに走査装置による原稿の幅の検知を行ってから、走査装置のランプを保持するキャリッジをプラテン２の走査開始端部にまで戻し、原稿のスキャンのモードにより、原稿に対する走査が開始される。また、その原稿の幅の検知が行われる部分は、原稿の画像領域の先端の部分よりも数ｍｍないし十数ｍｍの範囲に設定することができるので、画像の読み取りに支障が生じることはない。そして、センサ２０により検知された長さの情報と、ＣＣＤイメージセンサ１６により検知された幅の情報とにより、原稿サイズとセットした方向とを即座に決定し、その後の読み取りの動作の制御を行うようにする。
　【００１７】したがって、本発明の原稿サイズ検知装置においては、原稿に対して走査装置によるプリスキャンの動作を行う必要がなくなるので、画像読取り装置における読み取りの能率を向上させることができる。そして、該画像読取り装置を電子複写機に適用する場合には、電子複写機での単位時間当たりのコピーの枚数を多くすることができ、複写の能率を向上させることができる。また、前記画像読取り装置を、コントロール装置等の記憶装置に接続して使用する場合には、読み取り速度を大巾に向上させることができる。
　【００１８】また、本発明の装置では、図３に示されるように、センサ２０をプラテンカバー５に設けることもできる。前記図３に示される例において、プラテンカバー５のクッション６に対して、センサ２０を埋め込んだ状態に配置し、原稿の長さの検知を行うようにする。そして、プラテンクッション６の下面に着色シート７を設けておき、ＣＣＤイメージセンサによる原稿の幅の検知の作用を容易に行い得るようにしている。
　【００１９】さらに、本発明においては、検知の対象とされる原稿サイズの種類等に対応させて、複数のセンサを用いることも可能であり、その場合には、例えば、２〜３個のセンサを原稿の長さの検知に用いた場合でも、従来の原稿サイズ検知機構よりは、センサの数を少なくすることが可能であり、サイズ検知機構を特に複雑にすることはない。
　【００２０】前述したように、走査装置の停止位置を、先端レジ線Ｙよりも内側に設定する手段を用いることの他に、本発明においては、走査装置のホームポジションを、プラテン２から外れた位置に設定し、画像読取り装置のスイッチをオンにした際に、走査装置を短い距離だけ移動させて、プリスキャンを行う方式を用いることができる。前述したようなプリスキャンを行う場合には、もちろん、その動作により読み取りの開始タイミングが若干遅れることになるが、前記走査装置の移動距離は、原稿の先端部の幅を検知できる最少の範囲に限定することにより、その遅延時間を非常に短くすることができる。したがって、前述したようなプリスキャンの方式を用いる場合でも、従来の装置のように、原稿全体を走査して原稿サイズを決定する方式に比較して、読み取りの能率を大巾に向上させることができる。
　【００２１】なお、前述したように構成される本発明の原稿サイズ検知手段は、コンピュータに接続される画像読取り装置にのみ用いられるものではなく、その他に、電子複写機の画像読取り装置として用いることや、その他の原稿の画像の走査装置としても用いることができる。そして、１個または、複数のセンサによる原稿の長さの検知手段と、ＣＣＤイメージセンサによる原稿の幅の検知手段とを用いることにより、読み取りの動作の開始時に、原稿サイズを容易に検知でき、その後の読み取りの動作の制御を容易に行うことができる。
　【００２２】
　【発明の効果】本発明の装置は、前述したような走査装置による原稿の幅サイズの検知と、原稿の長さを検知するセンサとを用いているので、その検知機構の構成を簡素化できるとともに、原稿サイズの情報を正確に出力することができる。また、本発明の装置は、用いるセンサの数を少なくすることができ、制御装置に向けて出力される信号の種類が少なくなることにより、誤動作を生じる等の問題を解消することが可能であり、その検知機構に対するメンテナンス等も簡単に行うことができる。そして、請求項１の発明では、原稿に対して走査装置によるプリスキャンの動作を行う必要がなくなり、原稿の幅の検知情報を容易に得ることができる。また、請求項２の発明では、走査装置により原稿の先端部の非常に短い区間だけをプリスキャンすることで原稿の巾の情報を得て、長さをフォトセンサから得るために、前記２種類の情報にもとづいて原稿サイズの決定を行うことができ、単位時間当たりの読み取り枚数等に与える影響を非常に少なくすることができ、読み取りの能率を向上させることができる。
【図面の簡単な説明】
　【図１】　本発明の画像読取り装置の構成を示す説明図である。
　【図２】　プラテンに対するセンサの配置位置と、原稿サイズの関係を示す説明図である。
　【図３】　センサを配置する方式の別の例を示す説明図である。
　【図４】　従来の検知装置の配置と、原稿サイズの関係を示す説明図である。
　【符号の説明】
　１　画像読取り装置、２　プラテンガラス、５　プラテンカバー、７　着色シート、１０　走査装置、１１　光源、１２〜１４　ミラー、１５　レンズ、１６　ＣＣＤイメージセンサ、２０　センサ、２１　原稿、Ｙ　先端レジ線、Ｘ　側部レジ線。